(57)【要約】      （修正有）【課題】簡易な構造で、コストが安く、簡単に素早く着用することができて防災頭巾として機能する防災座布団または枕を提供する。【解決手段】座布団１または枕の平面部分の側生地に、伸縮性のあるベルト２の両端を固定して、普段は座布団として椅子の座面に敷いておき、または就寝時は枕として使用しておき、災害発生時には頭部４に装着してベルトをアゴ紐として使って保護具とする構造とする。また本考案は、上記の座布団において、ベルトの両端を固定する方向を座布団の形状の対角線の方向としたことを特徴とする防災座布団を含むものである。また本考案は、上記において、衝撃吸収材の一部または全部が綿（わた）であることを特徴とする防災座布団または枕である。【選択図】図９
0003203852.tif 000002
【実用新案登録請求の範囲】
【請求項１】
衝撃吸収材を内側に包んだ座布団または枕の、側生地またはカバーの少なくとも１つの面に、伸縮するベルトの両端を固定した構造であることを特徴とする防災座布団または枕。
【請求項２】
請求項１に記載した防災座布団または枕であって、
衝撃吸収材の一部または全部が綿であることを特徴とする防災座布団または枕。
【請求項３】
請求項１に記載した防災座布団または枕であって、
衝撃吸収材の一部または全部が衝撃吸収構造を持つ材料であることを特徴とする防災座布団または枕。
【請求項４】
請求項１に記載した防災座布団であって、
該防災座布団の少なくとも１面に有るベルトの取付け方向が、該面の形状の対角線方向であることを特徴とする防災座布団。
【考案の詳細な説明】
【技術分野】
【０００１】
本考案は、緊急の災害発生のとき頭部を保護するためのヘルメット、頭巾などと同様の機能を果たすことができる防災座布団または枕に関する。
【背景技術】
【０００２】
従来、緊急の災害発生のとき頭部を保護するための保護装置である防災頭巾あるいは防災頭巾と同等の機能を果たすものについて、様々な提案が行われれいる。
【０００３】
例えば、普段は座布団カバーとして使用でき、任意の1辺の中央部に面ファスナーを設置しておき、かつ１面の中央部付近に取り付けたポケットに、中央部を固定した紐を収納しておき、地震や火災の発生のときは、座布団を２つ折りにして、該面ファスナーを使って左右の辺が開かないように固定し、該座布団を頭にかぶり、該紐の両端を後ろから頭の前に回して結ぶことで防災頭巾とする構造の提案がある。（特許文献１）
【０００４】
また、別の例として、座布団の対向する２辺に、三角形状の布片の基部を縫着しておき、普段は該三角形状の布辺を座布団の下側に隠しておき、地震や火災の発生のときは、該座布団をを頭の上に載せ、該三角形状の布片を頭の左右に垂らし、その端部同士を結合具でつないでアゴ紐のようにして防災頭巾の役割を果たすという構造の提案が有る。（特許文献２）
【先行技術文献】
【特許文献】
【０００５】
【特許文献１】実用新案公開昭４８−５６１２５号
【特許文献２】実用新案出願公告昭６２−２８９５２号
【考案の概要】
【考案が解決しようとする課題】
【０００６】
上記の特許文献１に示される提案は、着用するにあたり、座布団を２つに折り、面ファスナーで左右の辺を固定し、ポケットから紐を取出し、全体を頭にかぶり、紐を取って顔の前で結ぶという５段階の作業が必要であった。このような作業は、特に小さな子供や老齢者にとっては、緊急の場合かなり困難であるという課題が有った。
【０００７】
また、上記の特許文献２に示される提案は、特許文献１の課題をかなり解決しているとはいうものの、三角形状に加工した２つの布辺と、布辺を座布団の裏側に固定しておき、またその端部同士を結合するための結合具が必要であるという部品点数の多さという課題が有った。
【０００８】
そこで、本考案は、簡易な構造で、コストが安く、簡単に素早く着用することができて防災頭巾として機能する防災座布団または枕を提供する事を目的とする。
【課題を解決するための手段】
【０００９】
本考案は、衝撃吸収材を内側に包んだ座布団または枕の、側生地またはカバーの少なくとも１つの面に、伸縮するベルトの両端を固定した構造であることを特徴とする防災座布団または枕である。
【００１０】
また本考案は、上記の座布団において、ベルトの両端を固定する方向を座布団の形状の対角線の方向としたことを特徴とする防災座布団を含むものである。
【００１１】
また本考案は、上記において、衝撃吸収材の一部または全部が綿（わた）であることを特徴とする防災座布団または枕である。
【００１２】
また本考案は、上記において、衝撃吸収材の一部または全部が衝撃吸収構造を持つ材料であることを特徴とする防災座布団または枕である。        
【考案の効果】
【００１３】
本考案によれば、簡易な構造で、コストが安く、簡単に素早く着用することができて防災頭巾として機能する防災座布団または枕を提供することができる。
【図面の簡単な説明】
【００１４】
【図１】座布団の辺方向に平行にベルトを付けた平面図
【図２】座布団の辺方向に平行にベルトを付けた正面図
【図３】座布団の対角線方向にベルトを付けた平面図
【図４】座布団の対角線方向にベルトを付けた正面図
【図５】座布団の断面図
【図６】衝撃吸収構造を包んだ座布団の断面図
【図７】衝撃吸収構造の拡大図
【図８】枕の辺方向に平行にベルトを付けた平面図
【図９】座布団を頭部に着用した見取図
【図１０】小さい座布団を頭部に着用した見取図
【考案を実施するための形態】
【００１５】
本考案の実施形態を、図面に基づいて、防災頭巾として機能する防災座布団または枕の構造と作用を示して説明する。なお、説明は座布団または枕の側生地をベースとした内容になっているが、座布団または枕のカバーと読み替えることが可能である。また座布団や枕は３次元の構造であり、平面ではないが、水平な面に置いた時に水平な面とほぼ平行になる面を平面として扱って説明する場合がある。
【実施例１】
【００１６】
第１の実施例を、図１〜図５、図８〜図１０を参照して説明する。まず、防災頭巾としての機能を果たす座布団の構造について説明する。図１は、座布団１の辺の方向に平行にベルト２を付けた平面図である。図１から図４において、（ａ）は比較的大きな座布団の場合を示し、（ｂ）は比較的小さな座布団の場合の図であり、本考案は座布団の大小にかかわらず適用できることを示している。
【００１７】
図１において、座布団１の１面の中央付近で図の水平な面に平行にベルト２が有り、ベルト２の両端部である固定部２１が座布団１の側生地１１に固定されていることを示している。図２は、座布団の形状の辺の方向に平行にベルト２を付けた正面図である。すなわち、図１に示した座布団１を図面の面に平行な方向から見たものである。固定部２１を側生地１１に固定する方法は、縫い付けまたは布用接着剤による接着などであるが、所要の固定強度が得られて固定後も柔軟な方法であればよく特定の方法に限るものではない。
【００１８】
図２でベルト２は座布団の側生地１１にピッタリ張り付いているように見えるが、ベルト２の両端部にある固定部２１以外の場所は、座布団１の側生地１１に接触しているが固定されていない。したがって、ベルト２の中央部では座布団１の側生地１１とベルト２の間に指を入れさらに拡げることができる。
【００１９】
ベルト２は伸縮性が良い材料で作られており、座布団１が動かないように固定して指でベルト２を引っ張ると、ベルト２は伸びて、Ｖ字状に変形する。ベルト２の材料は糸ゴムやポリウレタン弾性糸などを織り込んだゴム入り織物など、伸縮性があればよいので、特定の材料に限られるものではない。
【００２０】
図５は、座布団の断面図である。図１（ａ）にＡＡ’で示した位置における座布団１の断面を示すもので、綿１２が側生地１１に包まれている状況を示している。ここで綿というのは、通常、座布団や枕に使われる、木綿、生糸、羽毛、化学繊維からなる綿などである。
【００２１】
このような構造である座布団１が防災頭巾としての機能を果たすための使い方について説明する。図９および図１０は、座布団を頭部に着用した状態を示す見取図である。図９および図１０は図１（ａ）、（ｂ）に示した座布団の大きさが違っている場合に対応している。図９および図１０に示すように座布団１を頭に載せるためには、ベルト２を引っ張って頭部の入るだけの隙間を空けて、そこに頭部を入れて、ベルト２をアゴ紐として使って座布団１を固定すればよい。
特段の準備などを必要とせず、アゴ紐付きの帽子をかぶる要領で良いので、小さな子供や老齢者なども直観的に理解して容易に着用できるので、学校や老人ホームでの使用に適すると思われる。
【００２２】
図８は枕の辺方向に平行にベルトを付けた平面図である。枕は、夜間に地震が起こったときなど防災具を探しまわらなくとも咄嗟に保護具として使うことができる。枕３に、既に座布団について説明したのと同様にベルト２を取付けてある。図８（ａ）では枕３の中央付近にベルト２を取付けてある。図８（ｂ）に示すように、枕３の片側に偏った位置にベルト２を取付けても良い。この場合は、枕３が頭部の後ろを長くカバーするように着用すれば、後頭部をより保護できて保護効果が大きくなることが期待できる。図示していないが図８に示したのと直角の方向にベルトを取付けても同様に使うことができる。
【００２３】
また、座布団の大きさにもよるが、頭部を容易に大きくカバーすることができるので、首から肩にかけても保護できるという利点もある。ここに説明したとおり、本考案の防災座布団または枕は既存の構造に１本のベルトを取付けるだけの構造で部品点数が少なく製造も容易である。
【実施例２】
【００２４】
図３は、座布団の対角線方向にベルトを付けた平面図である。図４は。座布団の対角線方向にベルトを付けた正面図である。図３に示すように、座布団１の対角線方向にベルト２を取付けた場合を示すものである。それ以外は、実施例１に述べた構造、作用は同等である。
【００２５】
この実施例では、頭部の前後左右方向に座布団がなす正方形の辺の部分ではなく、角の部分が来るので、実施例の図１、図２の場合よりさらに頭部の左右、後頭部が広くカバーされるので、保護作用としては優れていると言える。
【実施例３】
【００２６】
この実施例は、座布団または枕の内部に綿だけではなく、衝撃吸収機能を有する材料を重ねた構造を持つものである。図６は、衝撃吸収構造を包んだ座布団の断面図である。実施例１において図５に相当するのが、実施例３の図６である。図６においては、側生地１１に包まれているのは綿だけではなく、衝撃吸収を目的とした特別な構造を持った衝撃吸収材１３の層を含んでいることを示している。ここで層と言うのは座布団または枕の面と垂直な方向に略一定の厚さで、水平な方向に略全面に分布している形態を指す。
【００２７】
層の構成は図６（ａ）に示すように、座布団の場合は人が座る側、また枕の場合は頭を置く側に綿１２を配置して、反対側に衝撃吸収材１３を重ねることもできるし、図６（ｂ）に示すように、綿１２の層で衝撃吸収材材１３の層を挟んでも良い。綿や衝撃吸収材の特性によって層の厚みの配分や、層を重ねる方法は変えれば良いので、この図の構成に特定されるものではない。
【００２８】
図７は、衝撃吸収構造の拡大図である。この例は、住ベ  テクノプラスチック株式会社製のスミキャップソフトである。図７（ａ）に衝撃吸収構造の断面図を示してある。逆カップ状の形状の材料はポリエチレンで、高さは約５ｍｍである。逆カップ状の形状に上下から力がかかると構造がつぶれることにによって衝撃を緩和するものである。
【００２９】
これ以外は実施例１と同じである。なお、側生地の材質については、防災を考慮すると難燃性材料を使うことが有用と思われるが、特にそれに限定されるものではないことは言うまでもない。
【符号の説明】
【００３０】
１        座布団
１１      側生地
１２      綿
１３      衝撃吸収材
１４      衝撃吸収構造
２        ベルト
２１      固定部
３        枕
４        人体頭部
【図１】
0003203852.tif 000003
【図２】
0003203852.tif 000004
【図３】
0003203852.tif 000005
【図４】
0003203852.tif 000006
【図５】
0003203852.tif 000007
【図６】
0003203852.tif 000008
【図７】
0003203852.tif 000009
【図８】
0003203852.tif 000010
【図９】
0003203852.tif 000011
【図１０】
0003203852.tif 000012